(57)【要約】【課題】走行テープの幅方向の変動を規制して、高密度記録のテープからの情報信号の読み取り・書き込みに際して、高いサーボ性能、低エラー性能を確保できる、テープドライブ装置を提供する。【解決手段】テープドライブ装置の基盤に取り付け自在に構成され、ガイド高さおよびガイド間隔が、前記基盤にガイド列を取り付ける前に予め調整可能に構成されているテープガイドを配列したガイド列を備えるテープドライブ装置。【選択図】      図２
2004348784.tif 000002
【特許請求の範囲】
【請求項１】
テープ走行方向に沿ってヘッドの両側に、少なくとも一対のテープガイドを配列して構成されるガイド列を備えるテープドライブであって、
前記ガイド列は、前記テープドライブの基盤に取り付け自在に構成され、
前記少なくとも一対のテープガイドのガイド高さおよびガイド間隔が、前記基盤にガイド列を取り付ける前に予め調整可能に構成されていることを特徴とするテープドライブ。
【請求項２】
前記ガイド列は、前記ヘッドに最も近い位置に配列されるテープガイドのガイド高さを±２μｍの精度で調整可能であることを特徴とする請求項１に記載のテープドライブ。
【請求項３】
前記ガイド列が、前記ヘッドのテープ走行方向に沿った両側に、少なくとも二対のテープガイドを配列して構成され、
前記ヘッドに近い側に配置されたテープガイドが、前記ヘッドから遠い側に配置されたテープガイドよりもガイド間隔が狭く構成されていることを特徴とする請求項１または２に記載のテープドライブ。
【請求項４】
前記ガイド列は、前記ヘッドから最も遠い側のテープガイドのガイド間隔が、テープの幅よりも５０μｍ以上広く構成されていることを特徴とする請求項３に記載のテープドライブ。
【発明の詳細な説明】
【０００１】
【発明の属する技術分野】
本発明は、テープガイドのガイド高さとガイド間隔が精密に調整されたガイド列を備えるテープドライブに関する。
【０００２】
【従来の技術】
従来、テープを記録媒体として用いて、情報信号の記録および／または再生を行う記録・再生装置が知られている。この記録・再生装置においては、テープ走行系の途中に配置されたヘッドによって、テープに記録された情報信号を読み取り、またはテープに情報信号を書き込むことが行われる。
【０００３】
ところで、近年、記録媒体は、益々高密度記録化する傾向にある。この記録媒体の高密度記録化に伴い、記録・再生装置においては、ヘッド近傍におけるテープ走行方向の変動が、テープ走行時のサーボ特性や読み取り・書き込みエラー特性に大きな影響を及ぼすようになってきた。例えば、図９に示すように、ヘッド９１に摺接して情報信号の読み取りおよび書き込みが行われるテープ９２は、テープ９２の幅方向（矢印Ａで示す方向）に変動すると、ヘッド９１による情報信号の読み取りまたは書き込みエラーが発生する原因となる。また、ヘッドがテープに記録されているサーボ信号を利用してテープのトラッキングを制御するテープ走行系においては、ヘッド周辺のテープの幅方向の変動によってサーボ特性が大きな影響を受ける。そこで、ヘッド９１周辺でのテープの幅方向の変動を抑制するために、テープ走行路の途中に設けたテープガイド９３ａ，９３ｂによってテープ９２の走行方向を規制することが重要となってきた（特許文献１）。特に、テープ走行方向に沿ってヘッドの両側に配置されるテープガイドは、そのガイド高さとガイド間隔を高精度で精密に調整することが求められる。そして、近年の高密度記録化の進行に伴い、テープガイドは、ガイド高さのバラツキを±２μｍ以下に調整することが求められる。
【０００４】
従来、テープガイドのガイド高さを調整する方法として、テープガイドのフランジ面にダイヤルゲージの触針を当接して基準面からの高さを測定しながら、テープガイドの基部に高さ調整用のシムを介装してガイド高さを調整する方法、テープに予め記録された基準信号を読出し、検出された信号波形に基づいてテープガイドのガイド高さを調整する方法（特許文献２）等が実用または提案されている。
【０００５】
しかし、従来の触針によってガイド高さを調整する方法では、ガイド高さを±５μｍの精度で調整するが限度であり、±２μｍの精度でガイド高さを揃えることは、困難であった。また、信号波形に基づいてガイド高さを調整する方法は、間接的な情報に基づいてガイド高さを調整するため、ヘッドによるテープからの信号の読み取り状態、信号を記録したテープと読出しヘッドの接触状態等のテープガイド以外の他の要因によってガイド高さの調整精度が左右される等の問題があった。さらに、ガイド高さを調整する作業は、煩雑で熟練を要する作業である。そのため、ガイド高さの調整においては、作業者の習熟度や体調等によって、調整速度や調整精度が変化してしまうため、テープドライブを搭載する記録・再生装置の品質の均一化や作業工数の予見が困難となっている。
【０００６】
【特許文献１】
特開平１１−１４４２１７号公報（段落番号０００６、０００９等）
【特許文献２】
特開平５−２３４１９５号公報（請求項１等）
【０００７】
【発明が解決しようとする課題】
本発明は、前記の問題に鑑みてなされたものであり、その目的とするところは、テープガイドのガイド高さおよびガイド間隔が予め高精度に調整されたガイド列を組み込むことによって、走行テープの幅方向の変動を規制して、高密度記録されたテープからの情報信号の読み取り・書き込みに際して、良好なサーボ性能、低エラー性能を確保できる、テープドライブを提供することにある。
【０００８】
【課題を解決するための手段】
前記の課題を解決するために、請求項１に記載の発明は、ヘッドのテープ走行方向に沿った両側に、少なくとも一対のテープガイドを配列して構成されるガイド列を備えるテープドライブであって、前記ガイド列は、前記テープドライブの基盤に取り付け自在に構成され、前記少なくとも一対のテープガイドのガイド高さおよびガイド間隔が、前記基盤にガイド列を取り付ける前に予め調整可能に構成されていることを特徴とするテープドライブを発明の構成とする。
【０００９】
本発明において、「ガイド高さ」とは、走行するテープの両端エッジを規制するためにテープガイドの上下に対向して設けられる上フランジと下フランジの間の中心の基準面からの高さをいう。ここで、基準面とは、ガイド列を取り付けるテープドライブの基盤面をいう。また、テープガイドの「ガイド間隔」とは、前記上フランジと下フランジとの間の間隔をいう（図１、図３等参照）。
【００１０】
この請求項１に記載のテープドライブでは、ガイド列をテープドライブに取り付ける前に、テープガイドの高さとガイド間隔を予め調整することによって、所期の精度でガイド高さおよびガイド間隔が調整されたテープガイドをテープ走行路に配列することができる。そして、そのテープガイドによって、ヘッド周辺のテープ走行方向の変動を高精度で規制することができる。
【００１１】
また、請求項２に記載の発明は、前記請求項１に記載のテープドライブにおいて、前記ガイド列は、前記ヘッドに最も近い位置に配列されるテープガイドのガイド高さを±２μｍの精度で調整可能であることを特徴とする。
【００１２】
このテープドライブでは、ガイド列をテープドライブに取り付ける前に、テープガイドの高さとガイド間隔を予め調整することによって、ヘッドに最も近い位置に配列されるテープガイドのガイド高さを±２μｍの精度で調整することができる。これによって、テープガイドによって、ヘッド周辺のテープ走行方向の変動を高精度で規制することができる。
【００１３】
さらに、請求項３に記載の発明は、前記請求項１または請求項２に記載のテープドライブにおいて、前記ガイド列が、前記ヘッドのテープ走行方向に沿った両側に、少なくとも二対のテープガイドを配列して構成され、前記ヘッドに近い側に配置されたテープガイドが、前記ヘッドから遠い側に配置されたテープガイドよりもガイド間隔が狭く構成されていることを特徴とする。
【００１４】
このテープドライブでは、ヘッドに近い側に配置された内側のテープガイドが、前記ヘッドから遠い側に配置された外側のテープガイドよりもガイド間隔が狭く構成されていることによって、外側のテープガイドによってテープ走行方向の変動が規制された後、さらに内側のテープガイドによってテープ走行方向の変動が規制されるため、ヘッド周辺におけるテープ走行方向の変動を高精度で規制することができる。
【００１５】
さらにまた、請求項４に記載の発明は、前記請求項３に記載のテープドライブにおいて、前記ガイド列は、前記ヘッドから最も遠い側のテープガイドのガイド間隔が、テープの幅よりも５０μｍ以上広く構成されていることを特徴とする。
【００１６】
このテープドライブでは、ヘッドから最も遠い側のテープガイドＢのガイド間隔がテープの幅よりも５０μｍ以上広く構成されていることによって、ヘッドから最も遠い側のテープガイドからヘッドに近い側のテープガイドにわたって、順を追ってより狭いガイド間隔のテープガイドによってテープの幅方向の動きが規制される。そして、ヘッド周辺におけるテープ走行方向の変動を高精度で規制することができる。
【００１７】
【発明の実施の形態】
本発明の実施形態について図面を参照しながら詳細に説明する。
【００１８】
図１は、本発明のテープドライブの実施形態に係るガイド列の構造例を示す斜視図である。
図１に示すガイド列１は、底板２と、天板３と、側板４と、テープガイド５，６とから構成される。
【００１９】
底板２は、ガイド列１の下部を構成する部材である。この底板２の上面に植設された回転軸（図示せず）には、テープガイド５，６が回転可能に支持されている。この底板２の下面２ａには、ガイド列１をテープドライブの基盤２２（図２参照）に取り付ける際に、その基盤２２上に突設された突条部２３（図２参照）と嵌合される取り付け溝７が設けられている。また、底板２の中央には、ヘッドの下挿通口８が穿設されている。
【００２０】
天板３は、ガイド列１の上部を構成する部材である。この天板３の下面には、テープガイド５，６の上フランジ部５ｂ、６ｂが取り付けられる。また、天板３の中央には、前記底板２の挿通口８に対応してヘッドの上挿通口９が穿設されている。
側板４は、底板２と天板３の一端を連結し、ガイド列１の側部を構成する部材である。
【００２１】
テープガイド５とテープガイド６は、ヘッドが挿通する下挿通口８および上挿通口９を挟んで一対に構成され、それぞれ底板２と天板３の間に架設されている。このテープガイド５，６は、上フランジ部５ａ，６ａと、下フランジ部５ｂ，６ｂとを備える。このテープガイド５，６において、上フランジ部５ａ，６ａの下面は、テープの上エッジを規制する上エッジ規制面５ｃ，６ｃを構成し、下フランジ部５ｂ，６ｂの上面は、テープの下エッジを規制する下エッジ規制面５ｄ，６ｄを構成する。
【００２２】
このテープガイド５，６において、上エッジ規制面５ｃ（６ｃ）と下エッジ規制面５ｄ（６ｄ）の中心の基盤２２（図２参照）からの高さＨ（図２参照）が、テープガイド５（６）のガイド高さであり、上エッジ規制面５ｃ（６ｃ）と下エッジ規制面５ｄ（６ｄ）の間の間隔Ｗが、テープガイド５（６）のガイド間隔である。
【００２３】
このガイド高さＨとガイド間隔Ｗの調整は、上フランジ部５ａ，６ａと天板３の間隙、および下フランジ部５ｂ，６ｂと底板２の間隙を調整することによって行うことができる。例えば、上フランジ部５ａ，６ａと天板３の間隙、または下フランジ部５ｂ，６ｂと底板２の間隙にシム１０を適宜介装して各間隙の間隔を調整することによってガイド高さおよびガイド間隔を調整することができる。このとき、底板２の厚さｔを考慮して、上エッジ規制面５ｃ（６ｃ）の底板２の上面からの高さｈ１、または下エッジ規制面５ｄ（６ｄ）の底板２の上面からの高さｈ２を調整すれば、基盤２２（図２参照）からのガイド高さＨを調整することができる。すなわち、底板２の厚さをｔとすると、Ｈ＝ｔ＋ｈ１−Ｗ／２またはＨ＝ｔ＋ｈ２＋Ｗ／２であるから、この関係に基づいて高さｈ１またはｈ２を調整すれば、ガイド高さＨを調整することができる。
【００２４】
このガイド列１は、予めテープガイド５、６のガイド高さとガイド間隔が調整された後、図２に示すとおり、テープドライブ２１の基盤２２に取り付けられる。ガイド列１は、底板２の下部に穿設された取り付け溝７に、基盤２２上に突設された突条部２３が嵌装されることにより、テープドライブに取り付け自在に装着される。このとき、挿通口８および挿通口９にヘッド２４が挿通される。
【００２５】
このように、テープドライブ２１に、予めガイド間の高さを調整したガイド列を取り付けることにより、ヘッド近傍でのテープ走行方向の規制を精度良く実施できる。このとき、ガイド列１は、取り付け溝７によってテープドライブ２１に取り付け自在に構成されるため、必要に応じて、ガイド列を取り外してガイド高さとガイド間隔を調整することができる。また、予めガイド高さとガイド間隔を調整したガイド列を用意しておけば、テープドライブの使用によりガイド高さおよびガイド間隔が狂ってしまったときに、容易にガイド高さとガイド間隔を正確に調整したガイド列と交換することができる。しかも、複数対のテープガイドを配列して構成されるガイド列は、ヘッド等の他の部材とは独立して別個にガイド高さとガイド間隔を調整することができるため、組み立て時に他の部材から受ける影響を排除して調整作業を行うことができる。そして、テープドライブを搭載する記録・再生装置の品質の均一化や作業工数の予見に有効である。
【００２６】
本発明において、ガイド列を構成するテープガイドのガイド高さとガイド間隔を調整する方法は、特に制限されず、所望の精度で、テープガイドのガイド高さとガイド間隔を調整することができる方法であれば、いずれの方法であってもよい。例えば、下記の２つの方法によって、少なくとも一対のテープガイドを配列して構成されるガイド列における各テープガイドのガイド高さとガイド間隔を調整することができる。
【００２７】
（１）図４に示すとおり、顕微鏡を用いて、テープガイド４１ａ，４１ｂ，４２ａ，４２ｂ，４３ａ，４３ｂを４００倍程度の倍率で拡大観察し、同時に、その顕微鏡視野内に配置した基準スケール４４と比較対照して、ガイド高さおよびガイド間隔を調整する方法。
（２）図５に示す装置を用いて、ガイド列５１の背後から光を照射し、ガイド列５１の前部に配置したマスク５２を透過する光により各テープガイドのガイド高さおよびガイド間隔を測定して調整する方法。
【００２８】
この（２）の装置は、光源５３を収納する光源部５４と、ガイド列５１を収容して光源部５４の上部に嵌装されるガイド列収容部５５と、ガイド列収容部５５の上部に嵌装されるマスク５２とから構成される。なお、この装置によってテープガイドのガイド高さおよびガイド間隔を調整する場合には、ガイド列５１の側板は、光を透過する、または少なくともテープガイドに光が通る開口を有する構造のものである。例えば、図１に示すガイド列１では、側板４が透明であればよい。
【００２９】
光源部５４は、光源５３を収納し、上部に光源５３から照射する光が通る開放部５７を有する。この光源５４に収納された光源５３から照射される光は、開放部５７を通って、ガイド列収容部５５に収容されたガイド列５１に照射される。なお、光源５３は、白色光、レーザ光等のいずれの光を照射するものでもよく、特に制限されない。
【００３０】
ガイド列収容部５５は、上下に開口を有し、内側にガイド列５１を収容して、光源部５４の上部に嵌装されものである。このガイド列収容部５５の上縁の四隅には、マスク５２の位置決め溝５６ａと嵌合する突片５５ａが突設されている。
【００３１】
マスク５２は、図６に示すように、ガイド列５１に配列されたテープガイド５７（５７ａ、５７ｂ、５７ｃ、５７ｄ、５７ｅ、５７ｆ）の上フランジ部５８（５８ａ、５８ｂ、５８ｃ、５８ｄ、５８ｅ、５８ｆ）、および下フランジ部５９（５９ａ、５９ｂ、５９ｃ、５９ｄ、５９ｅ、５９ｆ）のそれぞれに対応した位置に、テープガイド調整用窓６０（６０ａ、６０ｂ、６０ｃ、６０ｄ、６０ｅ、６０ｆ）が穿設されている。このとき、テープガイド調整用窓６０とガイド列５１のテープガイド５７の位置関係は、光源５３から照射される光の一部が各テープガイド５７により遮光されることによって、テープガイド調整用窓６０を透過する光量が、各テープガイド５７のガイド高さと比例するように予め調整されている。すなわち、テープガイド調整用窓６０とガイド列５１のテープガイド５７の位置関係は、光源５３から照射される光の一部が各テープガイド５７により遮光されることによって、テープガイド調整用窓６０を透過する光量が、各テープガイド５７のガイド高さと比例するように予め調整されている。また、マスク５２の四隅には、ガイド列収容部５５の突片５５ａと対応する位置に、位置決め溝５６ａが穿設される。そして、図８に示すように、この位置決め溝５６ａにガイド列収容部５５の突片５５ａが嵌合することによって、マスク５２のテープガイド調整用窓６０が所定の位置に配置されるようになっている。
【００３２】
この図５に示す装置において、ガイド列５１のテープガイド５７のガイド高さは、以下のようにして調整することができる。
まず、光源部５４の上部に、ガイド列５１を内側に収容したガイド列収容部５５を嵌装した後、さらに、ガイド列収容部５５の突片５５ａをマスク５２の位置決め溝５６ａに嵌合して、マスク５２がガイド列収容部５５に嵌装される。ここで、テープガイド５７の作製時に、上フランジ５８と下フランジ５９の間の間隔（ガイド間隔）を所定の精度で成形することにより、テープガイド５７のガイド間隔を予め調整しておくことができる。また、上フランジ５８および下フランジ５９をテープガイド５１の軸本体に沿って可動にすれば、ガイド列５１にテープガイド５７を組み込む前、あるいはテープガイド５７をガイド列５１に組み込んだ後に、上フランジ５８または下フランジ５９を軸本体に沿って動かしてガイド間隔を調整することもできる。
【００３３】
次に、光源５３からガイド列５１の背後から照射される光は、その一部がガイド列５１を構成するテープガイド５７によって遮光される。このとき、図６に示すように、マスク５２のテープガイド調整用窓６０（６０ａ、６０ｂ、６０ｃ、６０ｄ、６０ｅ、６０ｆ、６０ｇ、６０ｈ、６０ｉ、６０ｊ、６０ｋ、６０ｌ）からは、それぞれテープガイド５７ａ、５７ｂ、５７ｃ、５７ｄ、５７ｅ、５７ｆの上フランジ部５８ａ、５８ｂ、５８ｃ、５８ｄ、５８ｅ、５８ｆ、および下フランジ部５９ａ、５９ｂ、５９ｃ、５９ｄ、５９ｅ、５９ｆによって遮光されなかった光が、透過光として観測される。そして、このテープガイド調整用窓６０における透過光の光量に応じて、テープガイド５７のガイド高さを調整することができる。例えば、テープガイド５７ａの上フランジ５８ａを例に取ると、図７（ａ）および図７（ｂ）に示すとおり、テープガイド調整用窓６０ａにおける透過光量Ｌ１、Ｌ２に差が生じる。すなわち、Ｌ１＜Ｌ２であれば、図７（ａ）に示す場合の方が、ガイド高さｈ１が高いことになる。このように、テープガイド調整用窓６０における透過光量によって、ガイド高さを検出することができる。そして、下フランジ部５９ａと、底板２との間隙に、シム１０（図１参照）を適宜介装して各間隙の間隔を調整することによってガイド高さの調整を行うことができる。他の上フランジ部５８ｂ、５８ｃ、５８ｄ、５８ｅ、５８ｆのガイド高さ、または下フランジ部５９ａ、５９ｂ、５９ｃ、５９ｄ、５９ｅ、５９ｆのガイド高さの調整も同様に行うことができる。
【００３４】
なお、本発明は、前記実施形態に限定されず、調整対象のガイド列におけるテープガイドの配列に応じて、テープガイド調整用窓が穿設されたマスクを用意しておけば、テープガイドの寸法、形状、配列数棟の異なるガイド列に対応して、柔軟にテープガイドのガイド高さおよびガイド間隔を調整することができる。
【００３５】
本発明のテープドライブにおいて、ヘッドの両側に配列されるテープガイドは、ヘッドの両側に少なくとも一対、好ましくは二対以上のテープガイドを配列される。このとき、各テープガイドのガイド高さを±２μｍ以内の精度で調整することが好ましい。また、例えば、図３に示すように、二対以上のテープガイドを配列して構成されるガイド列においては、ヘッド側に近い方のテープガイド３１ａ、３１ｂのガイド間隔Ｗ１が遠い方のテープガイド３２ａ、３２ｂのガイド間隔Ｗ２に比較して狭くなっていることが好ましい。このとき、ヘッドから遠い方のテープガイド３２ａ、３２ｂのガイド間隔は走行するテープ幅よりも５０μｍ以上広くなっていることが好ましい。さらに、ガイド列をテープドライブの基盤に取付け時の精度は±１０μｍ以下の精度で充分なようなガイド幅と高さの精度にすることが望ましい。
【００３６】
また、本発明において、テープ走行方向に沿ってヘッドの両側に配列される、少なくとも一対のテープガイドで構成されるガイド列において、ヘッドに最も近いテープガイドのガイド間隔がヘッドに遠い方のテープガイドのガイド間隔よりも狭い構成になっていることが好ましい。実際に、テープ幅：１２．６５ｍｍ±５μｍ（１２．６４５〜１２．６５５）のテープを走行させるテープドライブにおいて、例えば、図４に示すように、ヘッドの両側に三対のテープガイドを配列した構成のガイド列における各テープガイド４１ａ，４１ｂ，４２ａ，４２ｂ，４３ａ，４３ｂのガイド間隔Ｗａ、Ｗｂ、Ｗｃは、テープ幅に対して、下記（ａ）、（ｂ）、（ｃ）のように、ヘッドに最も近い側に配列される一対のテープガイドのガイド間隔Ｗ    に対して、その外側のヘッドから遠い側のテープガイドのガイド間隔Ｗ      の方が広くなった構成になっていることが好ましい。
（ａ）Ｗａ：１２．６５ｍｍ±２μｍ
（ｂ）Ｗｂ：１２．６６ｍｍ±２μｍ
（ｃ）Ｗｃ：１２．６７ｍｍ±２μｍ
【００３７】
本発明のテープドライブは、テープを記録媒体として用いて、磁気、光等により情報信号の記録および／または再生を行う記録・再生装置に適用して、テープ走行系におけるテープの幅方向の変動を高精度で規制することができる。
【００３８】
【発明の効果】
本発明のテープドライブは、テープ走行系におけるテープの幅方向の変動を高精度で規制することができるため、更なる高密度記録のテープでのサーボ性能、エラー性能を確保できる。
【００３９】
また、ヘッド部分でのテープの幅方向の変動を規制することにより、ヘッドアクチュエータの上下動が少なくでき、アクチュエータ上下動により発生したテープの変動を更に抑えることができ、巻き取り部分での巻き姿良化の効果も得られた。
【００４０】
さらに、本発明のテープドライブは、ガイド高さを高精度に調整することによって、テープの形状にかかわらず、ヘッド近傍でのテープの幅方向の動きを規制することができる。
【図面の簡単な説明】
【図１】本発明の実施形態に係るガイド列の構造を示す斜視図である。
【図２】本発明の実施形態に係るガイド列を取り付けたテープドライブを示す斜視図である。
【図３】ガイド列におけるテープガイドの配列を説明する図である。
【図４】ガイド列におけるテープガイドのガイド高さとガイド間隔の調整方法の一例を説明する概念図である。
【図５】テ−プガイドのガイド高さとガイド間隔の調整方法の他の例に用いる装置を説明する分解斜視図である。
【図６】図５に示す装置によってテープガイドのガイド高さとガイド間隔を調整する方法を説明する図である。
【図７】図６に示すテープガイド調整用窓の透過光量によりテープガイドのガイド高さの調整方法を説明する拡大模式図であり、（ａ）は（ｂ）よりも透過光量が小である場合を示す。
【図８】図５に示す装置におけるガイド列収容部にマスクを嵌装する方法を説明する模式図である。
【図９】テープドライブの一例を示す概念図である。
【符号の説明】
１      ガイド列
２      底板
３      天板
４      側板
５，６      テープガイド
５ａ，６ａ      下フランジ部
５ｂ，６ｂ      上フランジ部
５ｃ，６ｃ      上エッジ規制面
５ｄ，６ｄ      下エッジ規制面
７      取り付け溝
８      下挿通口
９      上挿通口
２２    基盤
Ｈ      ガイド高さ
Ｗ      ガイド間隔
【図１】
2004348784.tif 000003
【図２】
2004348784.tif 000004
【図３】
2004348784.tif 000005
【図４】
2004348784.tif 000006
【図５】
2004348784.tif 000007
【図６】
2004348784.tif 000008
【図７】
2004348784.tif 000009
【図８】
2004348784.tif 000010
【図９】
2004348784.tif 000011